(57)【要約】      （修正有）【課題】設置が容易で、美感と眺望性を確保しつつ、凍結により窓が開閉できなくなることを防止する窓の凍結防止構造を提供する。【解決手段】窓枠の枠体の内周面か、又はサッシの框の外周面かの何れかに、シリコンゴムの薄膜体のシート・発熱シートを張装する。シリコンゴムを帯状にし、シリコンゴムと発熱体を、ともに粘着部を備えたシール構造とする。【選択図】図１
0003161379.tif 000002
【実用新案登録請求の範囲】
【請求項１】
窓枠の枠体の内周面か、又はサッシの框の外周面かの何れかに、シリコンゴムの薄膜体と、発熱体を、ともに張装する構成とした窓の凍結防止構造。
【請求項２】
請求項１に記載の窓の凍結防止構造であって、
前記枠体の内周面と、サッシの框の外周面の接触部位の、全てにシリコンゴムの薄膜体と、帯状の発熱体を、ともに張装する構成とした窓の凍結防止構造。
【請求項３】
請求項１に記載の窓の凍結防止構造であって、
前記枠体の内周面と、サッシの框の外周面の接触部位の、一部にシリコンゴムの薄膜体と、帯状の発熱体を、ともに張装する構成とした窓の凍結防止構造。
【請求項４】
請求項１〜請求項３の何れかに記載の窓の凍結防止構造であって、
前記シリコンゴムを帯状とし、この帯状のシリコンゴムと、帯状の発熱体を、ともに粘着部を備えたシール構造とする構成とした窓の凍結防止構造。
【考案の詳細な説明】
【技術分野】
【０００１】
本考案は、冬期、又は酷寒地において、窓が凍結で開閉できない状況を回避する窓の凍結防止構造に関する。
【背景技術】
【０００２】
周知の如く、冬期、又は酷寒地において、窓枠の内周面、及び／又は、サッシの外周面が凍結（氷結）し、この凍結で、窓が開閉できない状況が発生する。この凍結を解凍し、窓の開閉を図る手段としては、例えば、窓、及び／又は、窓枠を打撃し、振動を与える方法と、熱湯を注ぐ方法とかが、一般的な方法である。この方法は、一般的で、簡便である。しかし、この方法で困るのは、緊急時とか、凍結が酷く、この方法が間に合わない酷寒地においては、大いに困る処である。そして、最も、困るには、緊急時で、時間的な余裕がない状況とか、障害者・老人等の生活弱者の場合である。
【０００３】
そして、緊急時の障害者・老人等の生活弱者の場合には、間に合わないこととなり、生命の危険な状況も発生すること、狼狽し、思わぬ怪我をすること、等の問題があり、早急な改良が要求される。また、前記方法では、手間を要することと、大変に厄介であること、等の改良点が挙げられる。
【０００４】
この窓の凍結防止構造に関して、先行文献と、関連する文献とを、下記に挙げる。
【０００５】
文献（１）〜（３）として、この種のシリコンゴム系の薄膜体、又はこれに類する凍結防止シート等を張装する構成として、ガラス面の凍結防止がある。例えば、特開２００７−２９０１９８の「ガラス面の凍結防止方法と、その方法に使用する凍結防止面材」と、特開平７−９０２３３号の「粘着保護シート装置並びに該装置に用いる粘着保護シートの製作方法」と、実開平３−１５２１４号の「自動車窓凍結防止用積層シート」がある。これらの発明等は、シリコンゴム系の薄膜体等の一枚のシート素材を、必要時に張装して取付け、また、不必要時には、邪魔となり、剥離して取外すことが必要条件で有る。従って、常時、そのままの状態では、使用ができないことから、厄介、かつ面倒であること、また、最終的には、使用しないのが現況であり、無駄、かつ資源の有効利用に問題を残すこと、等の改良点が考えられる。
【０００６】
また、文献（４）として、断熱サッシと、障子を備えたサッシの結露防止として、合成樹脂製の障子の框、又は連結部材を配備した構造がある。例えば、特開２００９−２９３３００の「断熱サッシ」がある。この発明は、合成樹脂を、障子の框、又は連結部材を配備することで、断熱効果、及び／又は、結露防止を図ることである。従って、この発明は、サッシ製作時に、合成樹脂製の障子の框を組付ける構造であり、後付けとか、簡易に取付けるには問題がある。
【０００７】
さらに、文献（５）、（６）として、合成樹脂と発熱体との組合せ構造で、窓、窓枠の凍結防止を図る構造がある。例えば、実公昭６１−２４４０３号の「窓ガラスの凍結及び窓枠の結露防止用発熱体」と、特開２００９−１９１５９８の「窓枠及び窓面板（ガラス、メタクリル樹脂（ＰＭＭＡ）、ポリカーボネート（ＰＣ）、ポリスチレン（ＰＳ）、塩化ビニル（ＰＶＣ）等）に付着する結露（凝縮）防止器具」がある。しかし、これらの考案等は、樹脂と発熱体の組合せ構造であるが、構造が限定されていることと、窓、窓枠から膨出する構造となり、体裁が良くなく、かつ両者（樹脂と発熱体）の相乗効果を有効利用して、凍結防止を図る構造ではない。
【０００８】
上記に鑑み、本考案は、冬期、又は酷寒地において、帯状のシリコンゴムと、帯状の発熱体との薄膜形態を採用することで、例えば、設置の容易化と、体裁か、又は美感と眺望性の確保をする。また、この両者の相乗効果を介して、窓枠の内周面、及び／又は、サッシの外周面が凍結し、この窓が開閉できない状況を解消することと、この凍結に起因する、種々の問題発生を回避すること、等を意図する。
【０００９】
【特許文献１】特開２００７−２９０１９８
【特許文献２】特開平７−９０２３３号
【特許文献３】実開平３−１５２１４号
【特許文献４】特開２００９−２９３３００
【特許文献５】実公昭６１−２４４０３号
【特許文献６】特開２００９−１９１５９８
【考案の概要】
【考案が解決しようとする課題】
【００１０】
前記文献（１）〜（３）では、屋外物体で、特にガラス面の凍結防止を図るものであり、シリコンゴム系の薄膜体（シート）の素材が、凍結防止に有効であることを、単に活用することに留まる。従って、この文献（１）〜（３）は、素材の特性を単純に利用したものであり、屋外物体に対応して、この素材の構造を特定したものでなく、また、素材を、屋外物体に適合するように変更したものでない。
【００１１】
以上のことから、この文献（１）〜（３）では、文献で列挙した素材を、窓枠、框等に、装着するとの着想は、全くないこと、また、この素材を、窓枠、框等に、装着する構造は、開示されていない。従って、この文献（１）〜（３）は、本考案が意図する「窓の凍結防止構造」とは、その目的と、構造、並びに利用分野が異なる。
【００１２】
また、前記文献（４）では、前述の如く、合成樹脂を、障子の框、又は連結部材を配備することで、断熱効果、及び／又は、結露防止を図る構造である。しかしながら、この文献（４）の発明は、本考案が意図する、冬期、又は酷寒地において、窓枠の内周面、及び／又は、サッシの外周面が凍結し、この窓が凍結で開閉できない状況を解消することと、この凍結に起因する弊害を回避すること等は考えていない。
【００１３】
さらに、文献（５）、（６）では、樹脂と発熱体の組合せ構造であるが、構造が限定されていることと、窓、窓枠から膨出する構造となり、体裁が良くなく、かつ両者（樹脂と発熱体）の相乗効果を有効利用して、凍結防止を図る構造ではない。
【課題を解決するための手段】
【００１４】
請求項１の考案は、冬期、又は酷寒地において、帯状のシリコンゴムと、帯状の発熱体との薄膜形態を採用することで、例えば、設置の容易化と、体裁か、又は窓ガラスを覆うことを無くし、美感と眺望性の確保をする。また、請求項１の考案は、この両者の相乗効果を介して、窓枠の内周面、及び／又は、サッシの外周面が凍結し、この窓が開閉できない状況を解消することと、この凍結に起因する、種々の問題発生を回避すること（避難の確保と、生命の安全性を確保すること）、等を意図する。
【００１５】
請求項１は、窓枠の枠体の内周面か、又はサッシの框の外周面かの何れかに、シリコンゴムの薄膜体と、発熱体を、ともに張装する構成とした窓の凍結防止構造である。
【００１６】
請求項２の考案は、請求項１の目的を達成することと、確実な構造の凍結防止を図ること、等を意図する。
【００１７】
請求項２は、請求項１に記載の窓の凍結防止構造であって、
前記枠体の内周面と、サッシの框の外周面の接触部位の、全てにシリコンゴムの薄膜体と、帯状の発熱体を、ともに張装する構成とした窓の凍結防止構造である。
【００１８】
請求項３の考案は、請求項１の目的を達成することと、簡便で、取扱い容易な構造の凍結防止を図ること、等を意図する。
【００１９】
請求項３は、請求項１に記載の窓の凍結防止構造であって、
前記枠体の内周面と、サッシの框の外周面の接触部位の、一部にシリコンゴムの薄膜体と、帯状の発熱体を、ともに張装する構成とした窓の凍結防止構造である。
【００２０】
請求項４の考案は、請求項１の目的を達成することと、簡便で、取扱い・処理の容易な構造、或いは窓の美感と眺望性が確保できる窓の凍結防止構造を提供する。
【００２１】
請求項４は、請求項１〜請求項３の何れかに記載の窓の凍結防止構造であって、
前記シリコンゴムを帯状とし、この帯状のシリコンゴムと、帯状の発熱体を、ともに粘着部を備えたシール構造とする構成とした窓の凍結防止構造である。
【考案の効果】
【００２２】
請求項１の考案は、窓枠の枠体の内周面か、又はサッシの框の外周面かの何れかに、シリコンゴムの薄膜体と、発熱体を、ともに張装する構成とした窓の凍結防止構造である。
【００２３】
従って、請求項１は、冬期、又は酷寒地において、帯状のシリコンゴムと、帯状の発熱体との薄膜形態を採用することで、例えば、設置の容易化と、体裁か、又は窓ガラスを覆うことを無くし、美感と眺望性を確保できる特徴がある。また、請求項１は、この両者の相乗効果を介して、窓枠の内周面、及び／又は、サッシの外周面が凍結し、この窓が開閉できない状況を解消できることと、この凍結に起因する、種々の問題発生を回避できること（避難の確保と、生命の安全性を確保すること）、等の実益がある。
【００２４】
請求項２の考案は、請求項１に記載の窓の凍結防止構造であって、
枠体の内周面と、サッシの框の外周面の接触部位の、全てにシリコンゴムの薄膜体と、帯状の発熱体を、ともに張装する構成とした窓の凍結防止構造である。
【００２５】
従って、請求項２は、請求項１の目的を達成できることと、確実な構造の凍結防止が図れること、等の特徴がある。
【００２６】
請求項３の考案は、請求項１に記載の窓の凍結防止構造であって、
枠体の内周面と、サッシの框の外周面の接触部位の、一部にシリコンゴムの薄膜体と、帯状の発熱体を、ともに張装する構成とした窓の凍結防止構造である。
【００２７】
従って、請求項３は、請求項１の目的を達成できることと、簡便で、取扱い容易な構造の凍結防止が図れること、等の特徴がある。
【００２８】
請求項４の考案は、請求項１〜請求項３の何れかに記載の窓の凍結防止構造であって、
シリコンゴムを帯状とし、帯状のシリコンゴムと、帯状の発熱体を、ともに粘着部を備えたシール構造とする構成とした窓の凍結防止構造できる。
【００２９】
従って、請求項４は、請求項１の目的を達成することと、簡便で、取扱い・処理の容易な構造、或いは窓の美感と眺望性が確保できる窓の凍結防止構造を提供する。
【図面の簡単な説明】
【００３０】
【図１】シリコンゴムの薄膜体の帯状のシートを示した一部省略の拡大斜視図
【図２】発熱体の発熱シートを示した一部省略の拡大斜視図
【図３】サッシ窓の一例と、その配線の一部を示した斜視図
【図４】サッシ窓の一例を示した、枠体にシリコンゴムの薄膜体、及び／又は発熱体を張装した一部欠截の正面図
【図５】図４の要部の拡大正面図
【図６】サッシ窓と躯体との一例を横断して示した、枠体にシリコンゴムの薄膜体、及び／又は発熱体を張装した拡大断面図
【図７】図６の要部の拡大正面図
【図８】サッシと窓枠との一例を縦断して示した、枠体にシリコンゴムの薄膜体、及び／又は発熱体を張装した拡大側面図
【図９】サッシと窓枠との一例を縦断して示した、他の例であり、サッシの框に、シリコンゴムの薄膜体、及び／又は発熱体を張装した一部欠截の拡大側面図
【考案を実施するための形態】
【００３１】
以下、本考案の実施例を説明する。
【００３２】
図中１はシリコンゴムの薄膜体のシート（以下、シート１とする）で、このシート１を、後述する、窓枠５の枠体の内周面か、又はサッシの框の外周面かの何れかに、必要により、これらの双方に張装する構成である。そして、このシート１には粘着部１００と、剥離紙１０１を備えている。
【００３３】
また、図中２は、発熱体の帯状、又は線状の発熱シート（以下、帯状の発熱シート２とする）で、この発熱シート２を、後述する、窓枠５の枠体の内周面か、又はサッシの框の外周面かの何れかに、必要により、これらの双方に張装する構成である。そして、この発熱シート２には粘着部２００と、剥離紙２０１を備えている。
【００３４】
以下、このシート１と、発熱シート２を、窓枠５の枠体の内周面か、又はサッシの框の外周面かの何れかに、取付ける各実施例を、図面を基に説明する。尚、このシート１と、発熱シート２は、酷寒地の状況で、上下関係を選択し、例えば、上に発熱シート２を、その下にシート１を取付け、極めて厳しい酷寒地対応とし、また、上にシート１を、その下に発熱シート２を取付け、通常の酷寒地対応とする、等の方法を採用するが、この上下の取付け構造は、前記酷寒地とか、例えば、各人の好みと、設置場所で、自由に選択できる。
【００３５】
図３〜図８においては、躯体４の開口部には、サッシ用の窓枠５を設ける。そして、この窓枠５の枠体である上下枠５ａ、５ｂには、剥離紙１０１、２０１を剥離して、その粘着部１００、２００を利用して、目的とする、シート１、及び／又は、発熱シート２（上下関係は、前述の通りである）を張装する。例えば、酷寒地、北側の窓では、下にシート１を張装し、このシート１の上に発熱シート２を張装し、凍結防止を図る構造とする。また、通常の土地では、下に発熱シート２を張装し、この発熱シート２の上にシート１を張装し、凍結防止と、熱源の節約を図る構造とする。また、窓、窓枠５の部位により、このシート１、及び／又は、発熱シート２の張装順番を変更することもあり得る（以下の実施例も同じ）。そして、また、このシート１、及び／又は、発熱シート２を、必要により、滑車６０１が滑走するレール５ｃにも張装する。そして、左右枠５ｄ、５ｅ（竪枠）には、シート１、及び／又は、発熱シート２を張装するが、必要により、その対の溝部５ｄ１、５ｄ２と、５ｅ１、５ｅ２を囲繞するように張装する。この張装箇所は、この窓枠５の内周面５００の全体が最良の状態であるが、他の例として、例えば、手間、コスト、並びに実用性を考慮して、下枠５ｂと、左右枠５ｄ、５ｅの箇所とするか、及び／又は、このシート１、及び／又は、発熱シート２の幅を狭くするか、この下枠５ｂと、左右枠５ｄ、５ｅの長手方向の一部とするか、或いは溝部５ｄ１、５ｄ２と、５ｅ１、５ｅ２のいずれかの一面、及び／又は、その一部とするか、等を考えた結果で、最少箇所とすることも可能である。この下枠５ｂと、左右枠５ｄ、５ｅは、凍結が生じ易いこと、また、水分が溜まり易いこと、等を考慮した。
【００３６】
そして、このシート１、及び発熱シート２は、厚みが、ともに数ｍｍであって、従来の窓枠５に張装しても、サッシ６の装着と、このサッシ６の開閉動作には、全く問題とならない構造である。
【００３７】
図９はサッシ６の上下・左右框６ａ〜６ｄの外周面６００に、粘着部１００、２００を利用して、目的とする、シート１、及び／又は、発熱シート２を張装する。そして、また、このシート１、及び／又は、発熱シート２を、必要により、この上下・左右框６ａ〜６ｄの外周面６００の何れかを、選択してシート１、及び／又は、発熱シート２を張装する。このシート１、及び／又は、発熱シート２の張装は、この上下・左右框６ａ〜６ｄの外周面６００の全部とすることが理想であるが、他の例としては、例えば、手間、コスト、並びに実用性を考慮して、下框６ｂと、左右框６ｃ、６ｄの箇所とするか、及び／又は、シート１、及び／又は、発熱シート２の幅を狭くするか、この下框６ｂと、左右框６ｃ、６ｄの長手方向の一部とするか、或いは外周面６００のいずれかの一面、及び／又は、その一部とするか、等を考えた結果で、最少箇所とすることも可能である。尚、この下框６ｂと、左右框６ｃ、６ｄは、凍結が生じ易いこと、また、水分が溜まり易いこと、等を考慮した。その他は、前述の例に準ずる。
【００３８】
また、図示しないが、窓枠５の上下枠・左右枠５ａ、５ｂ、５ｄ、５ｅの内周面５００に、シート１、及び／又は、発熱シート２を張装するとともに、サッシ６の上下・左右框６ａ〜６ｄの外周面６００に、シート１、及び／又は、発熱シート２を張装する。所謂、窓枠５とサッシ６との接触面に、二重で、シート１、及び／又は、発熱シート２を張装することも可能である。
【００３９】
尚、本考案の窓の凍結防止構造は、自動窓開閉装置（自動で窓の開閉を行う装置）に用いることで、窓が凍結で開閉できないことによる開閉動作の不具合を防ぐことができる。
【００４０】
また、前記発熱シート２は、電線の例もあり得る。
【００４１】
また、８は窓のガラス、９はコード、１０は切換スイッチ、１２は差込みプラグを、それぞれ示す。
【符号の説明】
【００４２】
１              シート
１００          粘着部
１０１          剥離紙
２              発熱シート
２００          粘着部
２０１          剥離紙
４              躯体
５              窓枠
５００          内周面
５ａ            上枠
５ｂ            下枠
５ｃ            レール
５ｄ            左枠
５ｄ１          溝部
５ｄ２          溝部
５ｅ            右枠
５ｅ１          溝部
５ｅ２          溝部
６              サッシ
６００          外周面
６０１          滑車
６ａ            上框
６ｂ            下框
６ｃ            左框
６ｄ            右框
８              ガラス
９              コード
１０            切換スイッチ
１２            差込みプラグ
【図１】
0003161379.tif 000003
【図２】
0003161379.tif 000004
【図３】
0003161379.tif 000005
【図４】
0003161379.tif 000006
【図５】
0003161379.tif 000007
【図６】
0003161379.tif 000008
【図７】
0003161379.tif 000009
【図８】
0003161379.tif 000010
【図９】
0003161379.tif 000011